(57)【要約】【課題】  画像形成装置の異常の診断および階調補正の精度を向上させることが出来るシステムや方法等を提供する。【解決手段】  このシステムは、画像形成装置の異常を診断する診断システムであり、階調補正を行う際に用いられる第１の画像と、画像形成装置の異常を診断する際に用いられる第２の画像とを出力する出力手段と、出力された第１の画像と第２の画像とを読み取る読取手段と、第１の画像の読取結果に基づき、階調補正を行う補正手段と、第２の画像の読取結果に基づき、画像形成装置の異常を診断する診断手段と、診断と階調補正を並行して、または診断後に診断結果に応じて階調補正を実行させるように診断手段と補正手段の動作を制御する制御手段とを含む。【選択図】  図３
2020010197.tif 000002
【特許請求の範囲】
【請求項１】
画像形成装置の異常を診断する診断システムであって、
階調補正を行う際に用いられる第１の画像と、前記画像形成装置の異常を診断する際に用いられる第２の画像とを出力する出力手段と、
出力された前記第１の画像と前記第２の画像とを読み取る読取手段と、
前記第１の画像の読取結果に基づき、階調補正を行う補正手段と、
前記第２の画像の読取結果に基づき、前記画像形成装置の異常を診断する診断手段と、
診断と階調補正を並行して、または診断後に診断結果に応じて階調補正を実行させるように前記診断手段と前記補正手段の動作を制御する制御手段と
を含む、診断システム。
【請求項２】
前記画像形成装置から該画像形成装置の状態を表す状態情報を取得する取得手段を含み、
前記制御手段は、取得された前記状態情報に基づき、前記診断を実行するか否かを判断する、請求項１に記載の診断システム。
【請求項３】
前記制御手段は、前記診断を実行しないと判断した場合、前記補正手段のみを動作させる、請求項２に記載の診断システム。
【請求項４】
前記出力手段は、前記第１の画像と前記第２の画像を１の媒体上に印刷し、前記読取手段は、前記１の媒体上に印刷された前記第１の画像と前記第２の画像を読み取る、請求項１〜３のいずれか１項に記載の診断システム。
【請求項５】
前記出力手段は、前記第１の画像と前記第２の画像を異なる媒体上に連続して印刷し、前記読取手段は、各媒体に印刷された前記第１の画像と前記第２の画像を連続して読み取る、請求項１〜３のいずれか１項に記載の診断システム。
【請求項６】
前記診断結果を通知する通知手段を含み、
前記通知手段は、前記診断結果が、異常があることを示す場合、異常の原因とともに対処方法を通知する、請求項１〜５のいずれか１項に記載の診断システム。
【請求項７】
前記制御手段は、前記診断手段を先に動作させ、前記診断手段の診断結果に応じて階調補正を実行するか否かを判断する、請求項１〜６のいずれか１項に記載の診断システム。
【請求項８】
異常画像の種類の選択を受け付ける、または前記画像形成装置の状態を表す状態情報に基づき、異常画像の種類を選択する選択手段を含み、
前記出力手段は、選択を受け付けた、または選択された前記異常画像の種類に基づき、複数種類の画像の中から１の画像を前記第２の画像として出力する、請求項１〜７のいずれか１項に記載の診断システム。
【請求項９】
前記複数種類の画像には、１色の画像領域のみからなる画像、２色以上の画像領域からなる画像、色を付さない領域を含む画像を含み、
前記選択手段により前記色を付さない領域を含む画像に対応する種類が選択された場合、前記診断手段は、異常箇所を強調する処理を施し、前記異常箇所が強調された画像を診断結果として出力する、請求項８に記載の診断システム。
【請求項１０】
前記診断手段は、複数色の階調パターンにより構成される前記第１の画像を前記第２の画像とともに用いて、異常画像として色ずれを検知する、請求項１〜９のいずれか１項に記載の診断システム。
【請求項１１】
前記制御手段は、前記診断手段の診断結果に応じて、前記出力手段に対し、前記第２の画像のみを出力させ、または通知手段に対し、該第２の画像のみを出力させるように通知させ、前記診断手段に対し、前記読取手段により読み取られた前記第２の画像に基づき診断を実行させる、請求項１〜１０のいずれか１項に記載の診断システム。
【請求項１２】
請求項１〜１１のいずれか１項に記載の診断システムを備え、画像形成を行う画像形成装置。
【請求項１３】
画像形成装置の異常を診断する方法であって、
階調補正を行う際に用いられる第１の画像と、前記画像形成装置の異常を診断する際に用いられる第２の画像とを出力するステップと、
出力された前記第１の画像と前記第２の画像とを読み取るステップと、
前記第１の画像の読取結果に基づき、階調補正を行うステップと、
前記第２の画像の読取結果に基づき、前記画像形成装置の異常を診断するステップと、
前記診断するステップと前記階調補正を行うステップを並行して、または前記診断するステップの後に診断結果に応じて前記階調補正を行うステップを実行するように制御するステップと
を含む、方法。
【請求項１４】
請求項１３に記載の方法に含まれる各ステップをコンピュータに実行させるためのプログラム。
【発明の詳細な説明】
【技術分野】
【０００１】
本発明は、画像形成装置の異常を診断する診断システム、画像形成装置、診断方法およびその診断をコンピュータに実行させるためのプログラムに関する。
【背景技術】
【０００２】
プリンタやMFP(Multi Function Peripheral)等の画像形成装置において、診断用のチャートを印刷し、それをスキャナユニットで読み取り、得られた画像データから異常の有無を判断し、異常がある場合に異常箇所を診断し、対処方法を提示する装置が知られている（例えば、特許文献１参照）。
【０００３】
それとは別に、管理用のチャートや階調パターン画像を出力し、測色や濃度検知を行い、キャリブレーションテーブルの値の調整や階調補正情報の変更を行う技術が知られている（例えば、特許文献２、３参照）。
【発明の概要】
【発明が解決しようとする課題】
【０００４】
上記の異常の診断と階調補正は、診断や補正にそれぞれ必要とされるチャートを出力する必要があるため、個々に実施しなければならない。
【０００５】
しかしながら、個々に実施すると、異常があるチャートで階調補正を行うことがあり、この場合、異常がないチャートで階調補正を行う場合と比較して、補正精度が低下するという問題があった。また、このような階調補正を行った後に、異常の診断を行うと、階調補正前に診断を行う場合と比較して、診断の精度も低下するという問題もあった。
【０００６】
本発明は、上記に鑑みてなされたものであって、画像形成装置の異常の診断および階調もしくは濃度の補正の精度を向上させることができるシステム、装置、方法およびプログラムを提供することを目的とする。
【課題を解決するための手段】
【０００７】
上述した課題を解決するために、発明の一実施形態では、画像形成装置の異常を診断する診断システムであって、
階調補正を行う際に用いられる第１の画像と、画像形成装置の異常を診断する際に用いられる第２の画像とを出力する出力手段と、
出力された第１の画像と第２の画像とを読み取る読取手段と、
第１の画像の読取結果に基づき、階調補正を行う補正手段と、
第２の画像の読取結果に基づき、画像形成装置の異常を診断する診断手段と、
診断と階調補正を並行して、または診断後に診断結果に応じて階調補正を実行させるように診断手段と補正手段の動作を制御する制御手段と
を含む、診断システムが提供される。
【発明の効果】
【０００８】
本発明によれば、画像形成装置の異常の診断および階調補正の精度を向上させることができる。
【図面の簡単な説明】
【０００９】
【図１】画像形成装置の異常を診断する診断システムの構成例を示した図。
【図２】診断システムを構成する画像形成装置と情報処理装置のハードウェア構成を示した図。
【図３】診断システムの機能ブロック図。
【図４】第１の画像と第２の画像とを同時に出力するための画像レイアウトの第１の例を示した図。
【図５】第１の画像と第２の画像とを同時に出力するための画像レイアウトの第２の例を示した図。
【図６】第１の画像と第２の画像とを同時に出力するための画像レイアウトの第３の例を示した図。
【図７】第１の画像と第２の画像とを出力し、異常の診断と階調補正とを並行して実施する処理の流れを示したフローチャート。
【図８】第１の画像と第２の画像とを出力し、異常の診断と階調補正とを連続して実施する処理の流れを示したフローチャート。
【図９】異常の診断が必要であるかどうかを判断する処理の流れを示したフローチャート。
【図１０】異常を診断する処理の流れを示したフローチャート。
【図１１】モノクロプロッタ機で濃度補正と異常の診断とを連続して実施する処理の流れを示したフローチャート。
【発明を実施するための形態】
【００１０】
図１は、画像形成装置の異常を診断する診断システムの構成例を示した図である。画像形成装置としては、画像を形成し、形成した画像を出力するFAX装置、コピー機、MFP等が挙げられる。MFPは、コピー機能、プリンタ機能、スキャナ機能、FAX機能を搭載した複合機である。
【００１１】
診断システムは、図１に示すように、例えば２台の画像形成装置１０、１１と、２台のPC１２、１３と、１台のサーバ１４とから構成される。しかしながら、診断システムを構成する画像形成装置は、図１に示すように２台に限られるものではなく、１台であってもよいし、３台以上であってもよい。図１では、２台のPC１２、１３と、１台のサーバ１４とを、情報処理装置として用いているが、情報処理装置の機能を画像形成装置に搭載し、診断システムは、画像形成装置のみで構成されたものであってもよい。また、情報処理装置は、２台のPCと１台のサーバとから構成されるものに限らず、１台のPCのみ、１台のサーバのみ、２台のPCのみ、３台以上のPC、２台以上のサーバ等から構成されていてもよい。
【００１２】
診断システムは、画像形成装置や情報処理装置等の各機器により構成されるものに限らず、画像形成装置内の一部のユニット等や情報処理装置内の一部のデバイス等により構成されてもよい。
【００１３】
画像形成装置１０、１１は、PC１２、１３やサーバ１４とインターネット等のネットワーク１５を介して互いに接続される。ネットワーク１５は、有線ネットワーク、無線ネットワークのいずれであってもよく、また、LAN(Local Area Network)１６等の他のネットワークと接続されていてもよい。
【００１４】
画像形成装置１０、１１は、スキャンした画像データや画像形成装置の状態を表す状態情報（コンディションデータ）を保持し、PC１２、１３からの要求に応じて送信する。コンディションデータは、例えば動作の履歴情報（ログ）、画像の色味の補正情報、出力枚数、部品の情報、消耗品の情報等である。部品の情報は、感光体ドラム等の部品の前回交換した時期を示す情報等で、消耗品の情報は、トナーを収容するカートリッジのトナー残量の情報等である。
【００１５】
PC１２、１３は、画像形成装置１０、１１に対し、画像データのスキャン指示やコンディションデータの取得要求を送信する。また、PC１２、１３は、画像形成装置１０、１１から画像データを受信し、受信した画像データに基づき、診断対象の画像形成装置１０、１１の異常の検知・診断を行う。
【００１６】
サーバ１４は、ネットワーク１５内のPC１２、１３とデータ通信を行い、他のネットワーク１６上の機器とデータ通信を行う。
【００１７】
画像形成装置１０、１１の異常を診断する際、PC１２、１３は、画像形成装置１０、１１に対し、診断用の画像（パターン）を印刷するように指示する。画像形成装置１０、１１は、この指示を受けて、自身が保持する診断用パターンを印刷出力する。
【００１８】
PC１２、１３は、画像形成装置１０、１１に対し、出力された印刷物をスキャンするように指示する。画像形成装置１０、１１は、操作部の画面に、印刷物をスキャンすることを促すメッセージ等を表示する。画面を見たユーザは、印刷物を原稿台または自動原稿搬送装置（ADF）にセットし、スキャンを開始させる。スキャン後、画像形成装置１０、１１は、読み取った診断用パターンをPC１２、１３に送信する。
【００１９】
PC１２、１３は、画像形成装置１０、１１から診断用パターンを受信し、その診断用パターンに基づき、画像形成装置１０、１１の異常の有無を判断し、異常がある場合、異常の原因の診断を行い、診断結果を、PC１２、１３が備える表示装置の画面に表示する。また、PC１２、１３は、診断結果を画像形成装置１０、１１に送信する。このとき、PC１２、１３は、必要に応じて対処方法も表示し、また、画像形成装置１０、１１にも送信する。さらに、PC１２、１３は、必要に応じて診断結果をメール等によりサービスマンに通知する。
【００２０】
画像形成装置１０、１１では、操作部等の画面に診断結果を表示する。診断結果に対処方法が含まれる場合は、対処方法も表示し、ユーザやサービスマンに処置を促す。
【００２１】
PC１２、１３は、画像形成装置１０、１１に対し、異常の診断のほか、画像の色味の補正を実行させるため、上記の診断用パターンとともに、または診断用パターンに続いて階調補正用のパターンを印刷するように指示する。画像形成装置１０、１１は、この指示を受けて、自身が保持する階調補正用パターンも印刷出力する。このため、画像形成装置１０、１１は、印刷物のスキャンにおいて、診断用パターンのほか、階調補正用パターンも読み取り、階調補正用パターンもPC１２、１３へ送信する。
【００２２】
PC１２、１３では、受信した階調補正パターンに基づき、階調補正を実行する。階調補正は、異常の診断と並行して、または異常の診断後に診断結果に応じて実行される。
【００２３】
図２を参照して、画像形成装置と、情報処理装置のハードウェア構成について説明する。画像形成装置は、ハードウェアとして、操作部２０と、スキャナ部２１と、画像形成部２２と、印刷部２３と、FAX I/F２４と、制御部２５と、通信I/F２６とを含んで構成される。
【００２４】
操作部２０は、ユーザが入力し、ユーザに対して情報を表示するユーザI/Fで、例えばタッチパネル型のスマートUI(User Interface)とされる。操作部２０は、印刷、スキャナ、FAX、コピー等の機能の選択や機能の実行の指示を受け付け、動作状況や実行結果等を表示する。
【００２５】
スキャナ部２１は、光源、レンズ、CCD(Charge Coupled Device)センサやCMOS(Complementary Metal-Oxide Semiconductor)センサ等の撮像素子等から構成され、任意の画像を読み取り、画像データとして制御部２５へ出力する。
【００２６】
画像形成部２２は、画像処理ASIC(Application Specific Integrated Circuit)等から構成され、スキャナ部２１からの画像データや、PC１２、１３等から送信された印刷ジョブデータや、ユーザにより選択された、画像形成装置の内部で保持するパターン画像等を基に、出力する画像を生成する。
【００２７】
印刷部２３は、露光ユニット、感光体ドラム、現像ユニット、帯電ユニット、転写ユニット、定着ユニット、給紙ユニット、排紙ユニット等から構成され、印刷ジョブデータに応じた印刷物を出力する。ここでは、電子写真方式の印刷装置の構成例を示したが、これに限られるものではなく、インクジェット方式の印刷装置の構成等であってもよい。
【００２８】
FAX I/F２４は、FAXモデム等により構成され、外部回線と画像形成装置本体のFAX機能とのやりとりを行う。通信I/F２６は、ネットワーク１５と接続し、ネットワーク１５を介して情報処理装置との通信を可能にする。
【００２９】
制御部２５は、コントローラとされ、CPU２７と、メモリ２８とを含んで構成される。メモリ２８は、ROM、RAM、HD（Hard Disk）等の揮発性、不揮発性の記憶装置を両方含み、画像形成装置の印刷枚数や部品の情報等を記憶する。また、メモリ２８は、各機能を実現するためのアプリケーションやOS(Operating System)等の各種のプログラムも記憶する。CPU２７は、メモリ２８に記憶されたプログラムを実行し、各機能を実現し、画像形成装置を制御する。
【００３０】
情報処理装置は、ハードウェアとして、通信I/F３０と、CPU３１と、クロック装置３２と、入力装置３３と、主記憶装置３４と、出力装置３５と、補助記憶装置３６とを含んで構成される。
【００３１】
通信I/F３０は、ネットワーク１５と接続し、ネットワーク１５を介して画像形成装置との通信を可能にする。CPU３１は、演算を行う演算装置３７と、命令を解読して演算装置３７へ送り、情報処理装置内の各装置の動作のタイミングを制御する制御装置３８とを含む。
【００３２】
クロック装置３２は、クロックを発生し、発生したクロックを制御装置３８に提供する。入力装置３３は、キーボード、マウス、タッチパネル、CCDカメラ、マイク等から構成され、ユーザが各種の情報を入力する際に使用される。出力装置３５は、表示装置や音声出力装置等とされ、CPU３１が演算した演算結果等を出力する。
【００３３】
主記憶装置３４は、RAM等とされ、入力プログラムやデータを格納・保持し、制御装置３８の指示に従い、保持しているデータをCPU３１が備えるレジスタに読み出す。ここでは、主記憶装置３４は、機器の異常の診断を行うプログラムや画像形成装置から受信した画像データ等を保持する。補助記憶装置３６は、HD等とされ、機器の異常の診断を行うプログラムやOS、各種のデータ等を記憶する。また、補助記憶装置３６は、主記憶装置３４の記憶容量を補助する。
【００３４】
図３は、画像形成装置が備えるスキャナ部２１、印刷部２３、制御部２５、情報処理装置が備えるCPU３１、主記憶装置３４、補助記憶装置３６等により実現される診断システムの機能構成を示したブロック図である。診断システムは、画像形成装置の異常を診断するとともに、階調補正を行うシステムである。
【００３５】
診断システムは、異常の診断と階調補正を行うために、機能部として、出力部４０と、読取部４１と、補正部４２と、診断部４３と、制御部４４と、通知部４５とを含んで構成される。
【００３６】
出力部４０は、階調補正を行う際に用いられる第１の画像、例えば自動階調補正(ACC)パターンを出力する。また、出力部４０は、機器の異常を診断する際に用いられる第２の画像、例えば診断用パターンを出力する。出力部４０は、ACCパターンと診断用パターンを、例えば１枚の紙に印刷して出力する。なお、出力部４０は、ACCパターンと診断用パターンを同一紙面上に印刷することに限られるものではなく、別紙面上に印刷し、連続出力してもよい。このように同一紙面上に印刷して出力、または別紙面上でも連続して出力することで、異常の診断と階調補正をまとめて処理することができる。また、いずれか一方が必要で、他方は不要である場合、通常通り、１つの印刷動作で、別々に印刷して出力することも可能である。これにより、不要なトナーの消費を防ぐことができる。
【００３７】
ここで、図４〜図６を参照して、１枚の紙にACCパターンと診断用パターンを印刷する場合の各パターンのレイアウトについて説明する。
【００３８】
異常の検知や、異常の検知と診断の両方を実施する場合の診断用パターンは、ハーフトーン画像（2by2）、ディザ処理やPWM等の濃淡を調節できる画像のいずれも選択できるものとされる。診断用パターンは、ユーザが選択してもよいし、異常の種類（ポチ、スジ、汚れ、ムラ等）に応じてその異常を検知しやすいパターンが予め紐付けられ、ユーザが種類を選択することによりパターンを自動選択するように構成されていてもよい。また、その種類は、コンディションデータに応じて自動で選択され、選択された種類からパターンを自動選択する構成であってもよい。
【００３９】
診断用パターンは、ACCパターンと一緒にスキャンされ、異常を検知するために使用される。異常が検知された場合は、検知結果（ポチ、スジ、汚れ、ムラ等）と、必要に応じて原因診断を実施し、その診断結果と対処方法とが画面に表示され、また、内容によってメール等によりサービスマンに通知される。
【００４０】
ACCパターン５０は、図４に示すように、画像形成装置がもつ色材（トナー）の色としてイエロー（Y）、マゼンタ（M）、シアン（C）、ブラック（K）の４色からなり、各色につき、濃淡が連続的に変化する階調パターンとすることができる。この例では、４色の階調パターンを３組配列している。また、ACCパターン５０は、診断用パターンとともに１枚の紙に印刷するため、紙面の向かって左側の領域５１に配置されている。
【００４１】
ACCパターン５０の向かって右側の領域５２には、診断用パターン５３が配置される。診断用パターン５３は、YMCKの４色の画像領域（矩形画像）からなる画像とされ、矩形画像が主走査方向および副走査方向に万遍なく配置されたものとされている。図４に示す例では、各色の矩形画像が、主走査方向および副走査方向の各行および各列に１つずつ配置され、同じ色の矩形画像が同じ行や列に存在しないように配置されている。なお、１枚の紙には、そのほか、見出しや読み取りの際のチャートの置き方の説明文の領域５４が設けられる。
【００４２】
診断用パターン５３は、図４に示すような４色の矩形画像が配置されたものに限らず、図５に示すように、地汚れ検知用に色を付さない領域、ここでは白地領域（白地）５５を追加したものであってもよい。図５に示す例では、白地５５が追加されたため、図４に示す４列４行の配置から５列５行の配置とされ、各矩形画像の面積が小さくなっている。図５に示す例でも、各色の矩形画像および白地５５が、５行５列の各行および各列に１つずつ配置され、同じ色の矩形画像および白地５５が同じ行や列に存在しないように配置されている。
【００４３】
地汚れを検知したい場合は、事前にトリガとなる専用パッチを出す等のアクションを挟み、診断結果の画像は、異常箇所が目立つように、ガンマにより強調する処理を施し、画面表示や送信を行うことができる。ガンマは、画像の明暗を調整するために設定される値である。
【００４４】
診断用パターン５３は、図４および図５に示すように、１枚の紙面上にACCパターン５０とともに印刷される場合、限られた領域に印刷されることになるが、このような限られた領域では、検知しきれない異常もある。例えば、ポチ（点）に周期性があるのか、不規則であるのか等である。これらは原因が異なるため、周期性があるかどうかは、全面に診断用パターンを大きく印刷しないと検知することが難しい。このような異常を検知するために、診断専用のチャートを印刷したり、それを促す画面表示を出したり、診断のみを実施する処理に移動的に移行したりすることができる。
【００４５】
これまでは４色の全てを見て異常を検知・診断するための診断用パターン５３について説明したが、いずれか１つの色のみを見れば異常を検知・診断できる場合、図６に示すように、例えば１色のKのみのパターンを大きく１つ印刷するものであってもよい。いずれか１つの色のみを見れば異常を検知・診断できる場合の一例として、異常の周期があるかどうかを確認したい場合が挙げられる。
【００４６】
診断用パターン５３としては、複数種類のパターンが用意され、各パターンが検知しやすい異常の種類と紐付けられることで、ユーザが検知したい種類の異常に適したパターンを使用し、診断を行うことができる。
【００４７】
ところで、ACCは、カラー印刷可能な印刷装置（カラープロッタ機）にのみ搭載され、モノクロプロッタ機にはない。モノクロプロッタ機では、階調表現を濃度調整により行い、その濃度調整をプロセスコントロール（プロコン）により実施している。したがって、モノクロプロッタ機でカラープロッタ機と同様のことを行うためには、プロコン実行時に併せて診断用のK版の全面チャートを出力し、それを読み取って異常の検知・診断を行うという構成が望ましい。
【００４８】
以上のように、ACCパターン５０と診断用パターン５３をレイアウトし、１枚の紙に印刷し、出力することができるが、ユーザが印刷物を原稿台等にセットする際、どの面を原稿台等に向けてセットすればよいか等を説明する文字が領域５４に印字される。ちなみに、既存のACCパターンには、このような文字が印字される。
【００４９】
そこで、この印字を利用し、文字を黒一色ではなく、４色で印刷し、色ずれ等も一緒に検知することができる。色ずれを検知した場合、地汚れを検知したときと同様に、診断結果と対処方法を画面に表示し、内容によってメール等でサービスマンに通知することができる。
【００５０】
再び図３を参照して、読取部４１は、出力部４０により出力されたACCパターンと診断用パターンとを読み取る。読取部４１は、ACCパターンと診断用パターンが１枚の紙に印刷された場合、ACCパターンと診断用パターンの両方を含む画像データを出力する。
【００５１】
補正部４２は、読取部４１から出力された画像データにおけるACCパターンを使用し、階調補正を行う。階調補正では、出力されたACCパターンを、見本の階調パターンと比較し、濃度や明るさを調整する。
【００５２】
診断部４３は、読取部４１から出力された画像データにおける診断用パターンを使用し、画像の異常の有無を判断し、異常がある場合、異常箇所の特徴量を算出し、異常の原因を診断し、診断結果として原因と、対処が必要な場合に対処方法とを出力する。
【００５３】
制御部４４は、階調補正と診断を並行して、または診断後に診断結果に応じて階調補正を実行させるように補正部４２と診断部４３の動作を制御する。制御部４４は、診断を実行するか否かを判断し、実行しない場合、階調補正のみを実行させ、実行させる場合に、上記の補正部４２と診断部４３の動作を制御する。
【００５４】
また、制御部４４は、診断部４３の診断結果に応じて、出力部４０に対し、診断用パターンのみを出力させ、または通知部４５に対し、診断用パターンのみを出力するように通知させることができる。そして、制御部４４は、診断部４３に対し、出力され、読み取られた診断用パターンに基づき、診断を実行させることができる。
【００５５】
通知部４５は、診断部４３が出力した診断結果を、画像形成装置の操作部２０へ送信し、診断結果を表示させる。通知部４５は、メール等によりサービスマンに診断結果を通知することができる。通知部４５は、診断部４３から診断結果とともに対処方法も出力されている場合は、診断結果とともに対処方法も送信する。通知部４５は、ユーザやサービスマンが表示された対処方法に従って対処した後、ACCの実行を促すメッセージ等を送信し、表示させることができる。
【００５６】
図７は、診断システムにより実行される処理の第１の例を示したフローチャートである。ステップ７００から処理を開始し、ステップ７０１では、制御部４４が、診断が必要かどうかを判断し、ステップ７０２で、判断結果から診断を実行するかどうかを確認する。
【００５７】
診断を実行しないと判断した場合、ACCのみを実行すべく、ステップ７０３へ進み、出力部４０が、ACCパターンを印刷して出力し、読取部４１が、ACCパターンが印刷された印刷物を読み取る。そして、補正部４２が、読み取ったACCパターンを使用し、階調補正を行う。階調補正が終了したところで、ステップ７１２へ進み、処理を終了する。
【００５８】
一方、診断を実行すると判断した場合、ステップ７０４で診断モードを起動し、ステップ７０５で、出力部４０が、ACCパターンと診断用パターンとを印刷して出力し、読取部４１が、ACCパターンと診断用パターンが印刷された印刷物を読み取る。そして、制御部４４が、補正部４２と診断部４３の両方に対して処理を指示する。制御部４４は、ユーザによる画像形成装置の操作部に表示された開始ボタンの押下等を受けて、上記の処理を指示することができる。
【００５９】
補正部４２は、制御部４４からの指示を受けて、ステップ７０６で、読み取ったACCパターンを使用し、階調補正を行う。診断部４３も、制御部４４からの指示を受けて、ステップ７０７で、読み取った診断用パターンを使用し、画像の異常の有無を判断する。異常がある場合、診断部４３は、異常箇所の特徴量を算出し、異常の原因を診断し、または今後異常となりそうな予兆が出ている箇所があった場合、その原因の診断も行う。診断部４３は、診断結果を出力し、異常がある場合、対応方法も出力する。補正部４２と診断部４３は、各々の処理を同時に実行する。
【００６０】
ステップ７０８では、制御部４４が、診断部４３から出力された診断結果を参照し、異常があるかどうかを確認する。異常がある場合、ステップ７０９へ進み、制御部４４が通知部４５に対して指示し、通知部４５が、異常の原因や対処方法を送信し、PCの出力装置や画像形成装置の操作部の画面に表示する。また、通知部４５は、異常の原因や対処方法を、サービスマンに対してメール等により通知する。
【００６１】
ステップ７１０では、ユーザやサービスマンが、表示または通知された対処方法に従って異常の原因を取り除くべく、設定値の変更、部品の交換や清掃を行う等して、異常画像に対処する。対処後、ステップ７１１で、通知部４５が、階調補正の実行を促すメッセージ等を送信し、画面にそのメッセージを表示する。表示後、ステップ７１２で処理を終了する。
【００６２】
ユーザは、再びステップ７００から処理を開始させ、ステップ７０３で、階調補正を実行させることができる。対処後の処理であるので、異常がなければ、ステップ７０２で診断を実行しないと判断され、ステップ７０３の処理が実行される。これにより、その後の画像出力では、適切な色味で画像を出力することができる。
【００６３】
図７に示す処理の例では、異常の診断と階調補正とを並行して行っているが、異常の診断を行い、診断結果に応じて階調補正を行うようにしてもよい。これにより、異常の診断で、異常がないことが確認されたことを受けて、階調補正を行うことができる。一方、異常があることが確認された場合、階調補正を実行しないようにすることができる。これにより、異常がある場合の対処する前の無駄な階調補正を防止することができる。
【００６４】
図８は、診断システムにより実行される処理の第２の例を示したフローチャートである。ステップ８００から処理を開始するが、ステップ８０５までは、図７に示したステップ７００〜ステップ７０５までの処理と同じであるため、ここでは説明を省略する。
【００６５】
ステップ８０６では、制御部４４が、診断部４３に対して処理を指示する。診断部４３は、その指示を受けて、読み取った診断用パターンを使用し、画像の異常の有無を判断する。異常がある場合、診断部４３は、異常箇所の特徴量を算出し、異常の原因を診断し、または今後異常となりそうな予兆が出ている箇所があった場合、その原因の診断も行う。診断部４３は、診断結果を出力し、異常がある場合、対応方法も出力する。
【００６６】
制御部４４は、ステップ８０７で診断結果を参照し、異常があるかどうかを確認する。異常がない場合、ステップ８０３へ進み、出力部４０に対して指示し、出力部４０が、ACCパターンを印刷して出力し、読取部４１が、ACCパターンが印刷された印刷物を読み取る。そして、補正部４２が、読み取ったACCパターンを使用し、階調補正を行う。階調補正が終了したところで、ステップ８１２へ進み、処理を終了する。
【００６７】
異常がある場合、制御部４４が通知部４５に対して指示し、通知部４５が、ステップ８０８で、階調補正を実行しない旨を通知し、それと並行して、ステップ８０９で、診断部４３から出力された診断結果の異常の原因や対処方法を表示やメールする等して通知する。
【００６８】
ステップ８１０では、ユーザやサービスマンが、表示や通知された対処方法に従って異常の原因を取り除くべく、設定値の変更、部品の交換や清掃を行う等して、異常画像に対処する。対処後、ステップ８１１で、通知部４５が、階調補正の実行を促すメッセージ等を送信し、画面にそのメッセージを表示する。表示後、ステップ８１２で処理を終了する。これにより、異常がある場合の適切ではない画像によるACCの実行を回避することができる。
【００６９】
次に、図７および図８のステップ７０１およびステップ８０１で行う診断を実行するかどうかの判断について、図９を参照して詳細に説明する。
【００７０】
ステップ９０１では、診断を実行するかどうかの判断を自動で行うか、手動で行うかを判断する。自動で行うか、手動で行うかは、設定値がいずれに設定されているかを確認することにより判断することができる。ユーザが、画像形成装置の操作部またはPCにおいていずれかを選択することにより設定することができる。
【００７１】
手動に設定されている場合、ステップ９０２へ進み、診断の実行の指示を通知し、ステップ９０３で、画像の異常の種類を選択する。異常の種類の選択は、ユーザから選択を受け付けてもよいし、自動で選択してもよい。診断システムは、この選択を行うために、機能部として選択部を備えることができる。選択したところで、ステップ９０７へ進み、この判断を終了する。
【００７２】
異常画像の種類は、階調パターンと診断用パターンの形式を取りやすい種類とされる。この種類については後述する。また、診断用パターンの形式をデフォルトでもっておき、選択しないという項目が選択された場合、そのデフォルトが選択されるようになっていてもよい。
【００７３】
ステップ９０１で自動に設定されている場合、ステップ９０４へ進み、画像形成装置本体に保持されている画像形成装置の印刷枚数、部品の情報、消耗品の情報等を示すコンディションデータを取得し、解析する。診断システムは、コンディションデータを取得するために、機能部として取得部を備えることができる。また、解析を行うために解析部を備えていてもよい。
【００７４】
印刷枚数は、ある一定の枚数を超えると、画質が劣化するので、当該一定の枚数を超えているかどうかを確認し、確認結果から、診断を行ったほうがよいかどうかを判断することができる。
【００７５】
部品の情報は、前回の交換時期等の情報を含み、ある一定の期間が経過していると、画像に異常が出やすくなるため、前回の交換時期から一定の期間が経過しているかどうかを確認し、確認結果から、診断を行ったほうがよいかどうか判断することができる。
【００７６】
消耗品の情報は、トナーカートリッジのトナー残量等の情報を含み、トナー残量が少ないと、所望の濃度の色が出せなくなるので、トナー残量が一定量未満になっているかどうかを確認し、確認結果から、診断を行ったほうがよいかどうか判断することができる。
【００７７】
以上のことから、ステップ９０５では、コンディションデータの各項目につき、各項目に対して設定された閾値と比較し、診断が必要かどうかを判断する。閾値は、予め試験等を行い、適切な値を設定することができる。
【００７８】
診断が必要と判断された場合、ステップ９０２へ進み、診断の実行の指示を通知し、ステップ９０３で、異常画像の種類を選択する。一方、不要と判断された場合、ステップ９０６へ進み、診断が不要である旨のメッセージを送信し、操作部２０等の画面に表示させる。メール等によりユーザに通知してもよい。そして、ステップ９０７で、この判断を終了する。
【００７９】
自動に設定されている場合、コンディションデータを取得し、データの中身を確認することから、データから得られる画像形成装置の状態に応じて、どのような異常が出やすいかを予測する処理を導入し、その異常を検知しやすいパターン画像を推奨する設定とすることができる。具体的には、帯電ローラがしばらく交換しておらず、劣化してスジ帯が出やすくなると予測できる場合、このスジ帯を取りやすい画像を推奨設定とすることができる。この場合の帯電ローラといった原因部品と、スジ帯といった異常の現象とは、予め紐付けて診断システムが保持することができる。
【００８０】
このような推奨設定は、ユーザに対して推奨する画像を表示させ、それを選択するように促してもよいし、ユーザに選択を促すのではなく、それを自動で選択するものであってもよい。
【００８１】
コンディションデータの各項目につき、診断が必要かどうかを判断するので、対処方法の選択が容易になり、より適切に対処することができる。
【００８２】
図１０を参照して、図７のステップ７０７および図８のステップ８０６で実施される異常画像の検知・診断処理について詳細に説明する。ステップ１０００から処理を開始し、ステップ１００１で、診断モードにて、読み取った画像の中の診断用パターンに異常画像があるかどうかを検知する処理の実行を開始する。この処理では、ステップ１００２において、異常画像の検知とともに特徴量の算出を行う。
【００８３】
特徴量としては、次のものが挙げられる。
（１）形状（スジ帯か、斑点か、不定か等）
（２）大きさ（縦横方向の幅や斑点の直径等）
（３）濃度（濃いか薄いか、画素値）
（４）周期性（有り／なし）、周期性がある場合のピッチ
（５）色版（異常が出ている版）
【００８４】
これらの特徴量は、異常画像を特徴付ける定性的および定量的な項目で、異常画像の原因特定の１つの情報になるものである。
【００８５】
算出された特徴量に基づき、診断を行うが、このとき、診断用パターンからでは検知できない異常があることも考えられる。例えば、似たような特徴量をもつポチがいくつか検知できた際に、周期性があるのか、不規則であるのかは、原因部品にも寄るが、診断用画像をある程度大きく形成できないと、検知することが難しい場合がある。このため、ステップ１００３で、ACCパターンと診断用パターンを読み取った画像データからは診断が困難であるかどうかを判断する。
【００８６】
診断が困難でないと判断される場合、ステップ１００４へ進み、ACCパターンと診断用パターンを読み取った画像データを使用し、異常の検知・診断を行う。診断が終了し、診断結果を出力した後、ステップ１０１０で、この処理を終了する。
【００８７】
診断が困難と判断される場合、すなわち異常の原因を特定できない場合、本来の診断のみを行うように、ステップ１００５で、改めてシステムを起動し、ステップ１００６で、診断用パターンのみを全面に印刷し、その印刷物を読み取る。そして、ステップ１００７で、読み取った診断用パターンを使用し、異常の検知を行う。ステップ１００８で、異常箇所の特徴量を算出する。ステップ１００９で、算出された特徴量に基づき、異常の原因の診断を行う。診断が終了し、診断結果を出力した後、ステップ１０１０で、この処理を終了する。
【００８８】
図７および図８では、ACCの機能を搭載したカラープロッタ機において異常の診断と階調補正を行う例を示した。ACCを搭載しないモノクロプロッタ機では、プロコンによりトナーの濃度補正を行うことから、濃度補正と異常の診断を行う例について、図１１を参照して説明する。
【００８９】
モノクロプロッタ機も、カラープロッタ機と同様、ステップ１１００から処理を開始し、ステップ１１０１で、制御部４４が、診断が必要かどうかを判断し、ステップ１１０２で、判断結果から診断を実行するかを確認する。
【００９０】
診断を実行しないと判断した場合、濃度補正のみを実行すべく、ステップ１１０３へ進み、プロコンを実行し、濃度補正を行う。濃度補正が終了したところで、ステップ１１１１へ進み、処理を終了する。
【００９１】
一方、診断を実行すると判断した場合、ステップ１１０４で診断モードを起動し、ステップ１１０５で、プロコンを実行し、濃度補正を行い、続いて、ステップ１１０６で、出力部４０が、診断用パターンを出力し、読取部４１が、診断用パターンが印刷された印刷物を読み取る。そして、制御部４４が、診断部４３に対して処理を指示する。ステップ１１０７で、診断部４３が、その指示を受けて、読み取った診断用パターンを使用し、画像の異常の有無を判断し、異常がある場合、異常箇所の特徴量を算出し、異常の原因を診断し、診断結果を出力する。また、診断部４３は、異常がある場合、対応方法も出力する。
【００９２】
ステップ１１０８では、制御部４４が、診断部４３から出力された診断結果を参照し、異常があるかどうかを確認する。異常がある場合、ステップ１１０９へ進み、制御部４４が、通知部４５に対して指示し、通知部４５が、異常の原因や対処方法を送信し、PCの出力装置や画像形成装置の操作部の画面に表示させる。また、通知部４５は、異常の原因や対処方法を、サービスマンに対してメール等により通知する。
【００９３】
ステップ１１１０では、ユーザやサービスマンが、表示または通知された対処方法に従って異常の原因を取り除くべく、設定値の変更、部品の交換や清掃を行う等して、異常画像に対処する。対処後、ステップ１１１１で処理を終了する。
【００９４】
ステップ１１０８で異常がなかった場合、ステップ１１１１へ進み、処理を終了する。ACCの機能を搭載しないモノクロプロッタ機でも、プロコンと併せて実行することで比較的適切な濃度で異常の診断が可能となる。
【００９５】
以上のようにして、異常の診断と階調補正を並行して行うように制御することで、異常がない場合は、並行して階調補正を実施しているので、処理時間を短縮することができ、異常がある場合でも、処置を行い、再度階調補正を行うことで、階調補正の精度を向上させることができる。
【００９６】
また、診断後に診断結果に応じて階調補正を行うように制御することで、異常がない場合は、続けて階調補正を実施し、異常がある場合、処置を行った後に、階調補正を実施することができるので、階調補正の精度を向上させることができる。
【００９７】
いずれの場合も、階調補正と同時またはその前に診断を行うので、異常があるチャートで階調補正を行った後に診断することがなくなり、診断の精度も向上させることができる。
【００９８】
これまで本発明を、診断システム、画像形成装置、診断方法およびプログラムとして上述した実施の形態をもって説明してきた。しかしながら、本発明は上述した実施の形態に限定されるものではなく、他の実施の形態、追加、変更、削除など、当業者が想到することができる範囲内で変更することができるものである。また、いずれの態様においても本発明の作用・効果を奏する限り、本発明の範囲に含まれるものである。
【００９９】
したがって、上記のプログラムが記録された記録媒体、上記のプログラムが格納され、ダウンロード要求を受けて提供するサーバ装置等を提供することができるものである。
【符号の説明】
【０１００】
１０、１１…画像形成装置
１２、１３…PC
１４…サーバ
１５、１６…ネットワーク
２０…操作部
２１…スキャナ部
２２…画像形成部
２３…印刷部
２４…FAX I/F
２５…制御部
２６…通信I/F
２７…CPU
２８…メモリ
３０…通信I/F
３１…CPU
３２…クロック装置
３３…入力装置
３４…主記憶装置
３５…出力装置
３６…補助記憶装置
３７…演算装置
３８…制御装置
４０…出力部
４１…読取部
４２…補正部
４３…診断部
４４…制御部
４５…通知部
５０…ACCパターン
５１、５２、５４…領域
５３…診断用パターン
５５…白地
【先行技術文献】
【特許文献】
【０１０１】
【特許文献１】特開２０１５−２２０５０５号公報
【特許文献２】特開２０１７−０５５２８２号公報
【特許文献３】特開２０１７−２１９７５８号公報
【図１】
2020010197.tif 000003
【図２】
2020010197.tif 000004
【図３】
2020010197.tif 000005
【図４】
2020010197.tif 000006
【図５】
2020010197.tif 000007
【図６】
2020010197.tif 000008
【図７】
2020010197.tif 000009
【図８】
2020010197.tif 000010
【図９】
2020010197.tif 000011
【図１０】
2020010197.tif 000012
【図１１】
2020010197.tif 000013